(57)【要約】【課題】２本のアーム３、５を左右方向に開閉自在となるように第１アーム３と第２アーム５の下部を枢着し、枢軸７を中心として所定位置までの距離比が目盛り１４、１６の拡大率となるようにすることで、工事現場写真中で目盛りを読み取り可能とする。【解決手段】第１アーム３と第２アーム５の下部を枢軸７にて枢着している。第１アーム３の上端はスケール１に枢軸４にて枢着し、第２アーム５の上部は案内溝２を摺動可能にスケール１に取り付けている。枢軸７から外寸測定部８、９との距離が同一長さに形成されている。枢軸７から枢軸４、摺動子６との距離が同一長さに形成されている。枢軸７から内寸測定部１０、１１の距離は同一長さに形成されている。枢軸７から内寸用目盛り０までの距離と、枢軸７から内寸目盛り指示部１３と内寸目盛り１６との交わる位置までの距離は同一長さに形成されている。外寸用目盛り１４はＮ１／ｎ１、内寸用目盛り１６はＮ２／ｎ２の拡大率をもって形成されている。【選択図】  図１
2005106793.tif 000002
【特許請求の範囲】
【請求項１】
一方向に著しく長いスケールの内側に案内溝を設け、第１アームの上端を前記案内溝の一端近傍に回転自在に枢着し、第２アームの上端は前記案内溝に摺動自在に取り付け、
前記第１アームと前記第２アームの下端には外寸測定部と内寸測定部を設け、
前記第１アームと前記第２アームは下部で互いに交叉して左右方向に開閉自在となるように、前記第１アームと前記第２アームの下端から同一距離を有する位置を枢軸にて枢着し、
前記枢軸と前記外寸測定部又は前記内寸測定部とを結ぶ直線距離ｎ１、ｎ２に対する前記外寸測定部又は前記内寸測定部と前記枢軸を結ぶ線の延長線が前記スケールの正面又は背面に形成された目盛りと交わる位置までの距離のうち前記枢軸から前記延長線と前記スケールの正背面に形成された目盛りと交わる位置までの距離Ｎ１、Ｎ２との比率Ｎ１／ｎ１、Ｎ２／ｎ２が、前記スケールの正背面に形成された目盛りの拡大率とし、
前記第２アーム上端に形成された目盛り指示部が示す正面又は背面の目盛りが、前記外寸測定部間又は前記内寸測定部間の距離として表示されてなることを特徴とする工事現場写真撮影用測定器。
【請求項２】
上記第２アームは、この第２アームの上端内側縁が外寸測定部と枢軸とを結ぶ延長線上に沿って形成されて外寸目盛り指示部となし、上端外側縁が内寸測定部と枢軸とを結ぶ延長線上に沿って形成されて内寸目盛り指示部となしたことを特徴とする請求項１記載の工事現場写真撮影用測定器。
【発明の詳細な説明】
【技術分野】
【０００１】  本発明は道路舗装工事や一般土木工事等の現場風景を背景とした１枚の写真中で、被測定物の寸法を示した目盛りを明瞭に肉眼で視認することができ、且つ、管や溝等の内寸を容易に測定し得る工事現場写真撮影用測定器に関する。
【背景技術】
【０００２】  道路の舗装工事は国又は地方公共団体の定めるアスファルト舗装要綱に従い、舗装場所の地形、土質等の種々の条件を勘案して決定された厚みに舗装が行われていることを必要とする。道路舗装工事終了後は、舗装された道路が定められた厚みに舗装されていることを証明するために、道路舗装後の工事現場写真をその道路を管轄する国又は地方公共団体に提出することが義務付けられている。道路舗装の工事現場写真は舗装の厚みを示すために、現場道路に切断刃を垂直に回転させながら下降させ、舖装部分を上下方向に円柱状に切断して抜き取るという所謂コア抜きをし、道路から抜き取られた円柱体被測定物の軸方向の長さを測定し、道路が定められた厚みに舗装されていることを確認後、被測定物を現場道路に載置し、検査官が被測定物の軸方向に添って長さが判るように物差しを添えたポーズをとり、かつ、被測定物が地理上どの道路のどの位置であるかを明示するために、特徴ある山河、構築物等の現場風景を全背景として撮影されたものでなければならない。このように工事現場写真は、写真撮影者が検査官を含め特徴ある現場風景を全背景として被測定物から遠く離れた位置で写真撮影をしているため、現像後の写真中に於いて被測定物に添えられた物差しが極めて小さく撮影され、写真からは物差しの被測定物の実物の大きさを示す目盛りを読み取ることは殆ど不可能であり、証明写真としては好ましくないという問題点を有していた。
測定器の目盛拡大装置に関しては、直角三角形板の斜辺に沿って移動する測定針を有し、斜辺に沿って移動した測定針の移動量を直角三角形板の斜辺と他の一辺とのなす角度をピタゴラスの定理により算出決定される値に対応して拡大表示する構成のものが提案されている（例えば、特許文献１参照）。
又、一側端を開口した一方向に長い箱体状枠体内に内部枠体を、この内部枠体内に板状体を配設し、これら枠体、内部枠体及び板状体の上面には一方向に沿って目盛りが形成され、枠体より引き出された内部枠体及び内部枠体より引き出された板状体が所望位置で静止可能に内部枠体及び板状体の正背面前後端に備えたローラー間に無端ベルトが縣回され、枠体と引き出された内部枠体及び板状体の目盛りの合計が測定値となる施工対象物の内寸測定用の伸縮式測定物差しが提案されている（例えば、特許文献２参照）。
【特許文献１】特開昭６１−７３００１号公報
【特許文献２】特開２００２−２１３９０１号公報
【発明の開示】
【発明が解決しようとする課題】
【０００３】  上記背景技術で述べた特許文献１記載の発明であると、直角三角形を利用してるため拡大率に限界があり、目盛り自体も小さく、現場風景を全背景とした１枚の写真中からは拡大鏡を使用しても、読み取れる程度に目盛りは拡大されていないため、写真から被測定物の長さを読み取る必要性のある工事現場写真用測定器としては不向きであるという問題点がある。
又、特許文献２記載の発明であると、使用時には枠体から目盛りを有する内部枠体や板状体を順次引き出し、不使用時には枠体内に内部枠体及び板状体を収納する構成であるので持ち運びに便利であり、使用時には枠体を直接手に持ち、被測定物の被測定部位に枠体の閉塞端面と引き出された内部枠体又は板状体の外端面を当接させ、被測定部位間に伸縮式測定物差しを架け渡して測定しなければならず、被測定物が地面に開口した溝のような低位置に設置されている場合は上半身をかがめなければならず使用上不便であり、又、目盛りが測定された長さと同一長さに形成されているので目盛りが小さく、写真撮影をしても目盛りを写真からは読み取ることはできず、工事現場写真に用いる測定器としては不向きであるという問題点を有している。
本願発明は上記諸事情を鑑みて創案されたもので、２本のアームを左右方向に開閉自在となるようにアームの下部で枢着し、枢軸を中心とする所定位置迄の距離比が目盛りの拡大率となるようにすることにより、現場全風景を背景とする工事現場写真から被測定物の長さを正確に読み取り可能な工事現場写真撮影用測定器を提供することを目的とする。
【課題を解決するための手段】
【０００４】  本願発明のうち請求項１記載の発明は、一方向に著しく長いスケールの内側に案内溝を設け、第１アームの上端を前記案内溝の一端近傍に回転自在に枢着し、第２アームの上端は前記案内溝に摺動自在に取り付け、前記第１アームと前記第２アームの下端には外寸測定部と内寸測定部を設け、前記第１アームと前記第２アームは下部で互いに交叉して左右に開閉自在となるように、前記第１アームと前記第２アームの下端から同一距離を有する位置を枢軸にて枢着し、前記枢軸と前記外寸測定部又は前記内寸測定部とを結ぶ直線距離ｎ１、ｎ２に対する前記外寸測定部又は内寸測定部と前記枢軸を結ぶ線の延長線が前記スケールの正面又は背面に形成された目盛りと交わる位置までの距離のうち前記枢軸から前記延長線と前記スケールの正背面に形成された目盛りと交わる位置までの距離Ｎ１、Ｎ２との比率Ｎ１／ｎ１、Ｎ２／ｎ２が、前記スケールの正背面に形成された目盛りの拡大率とし、前記第２アーム上端に形成された目盛り指示部が示す正面又は背面の目盛りが、前記外寸測定部間又は前記内寸測定部門の距離として表示されてなることを特徴とする。
請求項２記載の発明は、第２アームの上端内側縁が外寸測定部と枢軸とを結ぶ延長線上に沿って形成されて外寸目盛り指示部となし、第２アームの上端外側縁が内寸測定部と枢軸とを結ぶ延長線上に沿って形成されて内寸目盛り指示部となしたことを特徴とする。
【発明の効果】
【０００５】  本発明の工事現場写真撮影用測定器は、アームを枢着している枢軸から測定部までの直線距離に対するこの直線の延長線がスケール正背面に形成された目盛りと交わる位置から枢軸までの距離の割合が、対応する目盛りの拡大率として構成されているので、アームのうち枢軸から目盛りと交わる位置までの長さを長くし拡大率を大にすることで、スケールに形成した目盛りを写真中で肉眼にて読み取り可能な大きさに拡大できるという効果がある。
第１アームと第２アームの上部を手に持ち、被測定物の外寸や内寸を測定できるように構成されているので、測定者はかがみこむ等の無理な姿勢をとることなく、楽に測定ができ、しかも拡大した目盛りを被測定物から離れた測定者の手元の位置で読み取れるという効果がある。
【発明の実施するための最良の形態】
【０００６】  特徴ある現場全風景を背景として撮影される工事現場写真で被測定物の長さを正確に読み取るという目的を、枢軸により枢着され左右に開閉自在な２本のアームと、該アームの上端を取り付けたスケールという少ない部品で、枢軸を中心とする距離比を拡大率として拡大されたスケール上の目盛りをアームに形成された目盛り指示部で示すことで実現した。
【実施例１】
【０００７】  図１は本発明工事現場写真撮影用測定器の作動状態を示す正面図、図２は図１のＡ−Ａ線拡大断面図、図３（ａ）（ｂ）はアーム、枢軸、スケール及び外寸用の目盛りの位置関係を示す説明図である、図４（ａ）（ｂ）はアーム、枢軸、スケール及び内寸用の目盛りの位置関係を示す説明図である、図５は外寸測定部で被測定物の長さを測定している状態を示す正面図、図６は内寸測定部で被測定物の内寸を測定している状態を示す背面図である。これらの図において、スケール１は一方向に著しく長く幅狭な帯板状平板の幅方向略中央位置に長手方向に延びる透溝よりなる案内溝２を設けている。スケール１の正面において、案内溝２の一端近傍には第１アーム３の上端を枢軸４にて枢着している。第２アーム５の上部には摺動子６を設け、この摺動子６が案内溝２内を摺動自在となるように、スケール１に第２アーム５の上部を取り付けている。第１アーム３と第２アーム５は枢軸７にて左右方向に開閉するように枢着されている。第１アーム３と第２アーム５の枢軸７の取付位置より下部は、内側縁を円弧状に窪ませ、且つ内側下端を内向対設させて外寸測定部８、９を形成し、外側縁には角部を設けて内寸測定部１０、１１を構成している。第２アーム５の上部でスケール１の正面と重なり合う部分は、図３（ｂ）に示すように内側線を外寸測定部９と枢軸７とを結ぶ線の延長線上に沿うように形成して外寸目盛り指示部１２となし、図４（ｂ）に示すように外側縁を内寸測定部１１と枢軸７とを結ぶ線の延長線上に沿うように形成して内寸目盛り指示部１３となしている。第２アーム５の上端縁はスケール１の上端縁より上方に位置するように突出させて形成されている。第１アーム３と第２アーム５は、図３（ａ）（ｂ）に示すように第１アーム３の外寸測定部８と枢軸７との直線距離ｎ１と第２アーム５の外寸測定部９と枢軸７との直線距離ｎ１とが等しく、枢軸７と枢軸４との直線距離Ｎ１と枢軸７と案内溝２と外寸目盛り指示部１２が交わる位置（図中、摺動子６の位置）との直線距離Ｎ１が等しく形成されている。スケール１の正面には、枢軸４の位置を０とし、案内溝２の溝縁に沿って外寸用目盛り１４が形成されている。外寸用目盛り１４は、枢軸７と外寸測定部８、９との直線距離ｎ１に対する枢軸７と枢軸４若しくは外寸目盛り指示部１２と案内溝２との交わる位置との直線距離Ｎ１の比率Ｎ１／ｎ１を拡大率として形成されている。
図４（ａ）（ｂ）に示すように、第１アーム３と第２アーム５は、第１アーム３の内寸測定部１０と枢軸７を結ぶ直線距離ｎ２と第２アーム５の内寸測定部１１と枢軸７を結ぶ直線距離ｎ２が等しく形成されている。又、第２アーム５の枢軸７と内寸目盛り指示部１３がスケールの背面上端縁と交わる位置までの直線距離Ｎ２と、第１アーム３の内寸測定部１０と枢軸７とを結ぶ線の延長線１５がスケール１の背面上端縁と交わる位置までの直線距離Ｎ２が等しくなるように形成されている。スケール１の背面上端縁には、延長線１５と交わる位置を０とし、案内溝２と平行に内寸用目盛り１６が形成されている。内寸用目盛り１６はＮ２／ｎ２を拡大率として形成されている。外寸用目盛り１４と内寸用目盛り１６は、ｘ１×Ｎ１／ｎ１、（１＜ｘ１）、ｘ２×Ｎ２／ｎ２（１＜ｘ２）の倍率で形成し、一層写真中で読み取りやすくすることもできる。【０００８】  次に、図５及び図６を参照にして作用を説明する。まず、図５において、第２アーム５を第１アーム３と反対方向に移動させると、第２アーム５は摺動子６が案内溝２内を摺動し、第１アーム３と第２アーム５の下端は枢軸７を中心として開き、スケール１は第１アーム３と第２アーム５上を平行に上下動する。外寸測定部８、９を被測定物１７の両端面に当接させると、第２アーム５の外寸目盛り指示部１２が外寸用目盛り１４を示す。外寸用目盛り１４はＮ１／ｎ１の拡大率をもって拡大されているので、写真中においても目盛りは肉眼で読み取ることができる。
次に、図６において、被測定物１８の内寸を測定する場合について説明する。被測定物１８の溝壁に内寸測定部１０、１１を当接すると、第２アーム５は摺動子６が案内溝２内を摺動することにより移動する。第２アーム５の内寸目盛り指示部１３が示す内寸用目盛り１６が被測定物１８の溝の内径として表示される。内寸用目盛り１６はＮ２／ｎ２の拡大率をもって拡大されているので、工事現場写真中でも明確に目盛りを読み取れる。
尚、本実施例は外寸用目盛り１４、内寸用目盛り１６の形成位置を案内溝２の溝縁とスケール１の上端縁に設けている場合を例に説明したが、目盛りは案内溝２と平行に形成されていればスケール１中の何処の位置でもよい。又、本願発明は上述の実施例に限定せず、２本のアームが交叉し、アームの枢軸を中心とする所定位置間の距離の比率を目盛りの拡大率とする測定器はすべて本願発明に包含される。
【図面の簡単な説明】
【０００９】
【図１】工事現場写真撮影用測定器の作動状態を示す正面図である。（実施例１）
【図２】図１のＡ−Ａ線拡大断面図である。（実施例１）
【図３（ａ）】第１アーム、枢軸、スケール及び外寸用目盛りとの関係を示す説明図である。（実施例１）
【図３（ｂ）】第２アーム、枢軸、スケール及び外寸用目盛りとの関係を示す説明図である。（実施例１）
【図４（ａ）】第１アーム、枢軸、スケール及び内寸用目盛りとの関係を示す説明図である。（実施例１）
【図４（ｂ）】第２アーム、枢軸、スケール及び内寸用目盛りとの関係を示す説明図である。（実施例１）
【図５】被測定物の外寸を測定している状態を示す正面図である。（実施例１）
【図６】被測定物の内寸を測定している状態を示す背面図である。（実施例２）
【符号の説明】
【００１０】１  スケール
２  案内溝
３  第１アーム
５  第２アーム
７  枢軸
８、９  外寸測定部
１０、１１  内寸測定部
１２  外寸目盛指示部
１３  内寸目盛指示部
１４、１６  目盛り
１５  延長線
１７、１８  被測定物
【図１】
2005106793.tif 000003
【図２】
2005106793.tif 000004
【図３（ａ）】
2005106793.tif 000005
【図３（ｂ）】
2005106793.tif 000006
【図４（ａ）】
2005106793.tif 000007
【図４（ｂ）】
2005106793.tif 000008
【図５】
2005106793.tif 000009
【図６】
2005106793.tif 000010